(57)【要約】【課題】着用者の身体の腰部のコリ解し及び腰部の血行を著増し、腰痛の改善と腰部のコリ解しを施すことができる磁気ベルトを提供する。【解決手段】身体の腰部に捲廻する磁気ベルトＡを構成するベルト本体１の捲廻時に、身体の腰部が当る裏面部２もしくは前記ベルト本体１の芯材ｃに、複数の永久磁石本体ａを所定の間隔おきにＮ極とＳ極を交互に配列せしめると共に、前記永久磁石本体ａが容易に離脱しないように装着せしめられている。【選択図】     図４
0003221353.tif 000002
【実用新案登録請求の範囲】
【請求項１】
身体の腰部に捲廻する磁気ベルトを構成するベルト本体の捲廻時に、身体の腰部が当る裏面部もしくは前記ベルト本体の芯材に、複数の永久磁石本体を所定の間隔おきにＮ極とＳ極を交互に配列せしめると共に、前記永久磁石本体が容易に離脱しないように装着せしめられていることを特徴とする磁気ベルト。
【請求項２】
前記永久磁石本体が、ハイブリッド磁石もしくはトルマリン磁石であることを特徴とする、請求項１に記載の磁気ベルト。
【請求項３】
前記永久磁石本体が、前記ベルト本体の裏面部もしくは芯材に、約１．９ｃｍ間隔おきにＮ極とＳ極を交互に８個装着せしめられていることを特徴とする、請求項１又は２に記載の磁気ベルト。
【請求項４】
前記永久磁石本体が、前記ベルト本体の裏面部に所定の間隔おきに形成せしめられた凹部に、Ｎ極とＳ極を交互に配列嵌挿せしめ、嵌挿後前記磁石本体が飛出しないようにテーピング部材を前記ベルト本体の裏面部に被着せしめられていることを特徴とする、請求項１又は２又は３に記載の磁気ベルト。
【請求項５】
前記永久磁石本体が、別設するテーピング部材の裏面部に所定間隔おきにして且Ｎ極とＳ極を交互に配列し接着剤にて接着せしめた後、前記テーピング部材の裏面部を前記ベルト本体の裏面部に接着せしめることを特徴とする、請求項１又は２又は３又は４に記載の磁気ベルト。
【請求項６】
前記テーピング部材が布製もしくは革製もしくは合成樹脂製の透明資材製であることを特徴とする、請求項１又は２又は３又は４又は５に記載の磁気ベルト。
【考案の詳細な説明】
【技術分野】
【０００１】
本考案は、身体の腰部に捲廻すると、腰痛や腰が重い方や、普段より仕事等で腰部を酷使されている方々の腰部のコリと血行が極めて良好となり、腰部のコリと血行を著しく改善もしくは予防せしめることができる磁気ベルトの技術分野に関するものである。
【背景技術】
【０００２】
従来、磁気ベルトに関する製造方法及び磁気ベルトとして、下記特許文献１（特開２００１−１１５３２２公報）が開示されている。
【０００３】
前記特許文献１に開示の磁気ベルトは、その特許請求の範囲の請求項１に記載されているように、ベルト本体を構成する芯材に、所定の間隔をもって複数の孔部が形成され、該孔部に芯材と略同一厚さの磁石が嵌め込まれていること、さらに発明の実施形態として、芯材１６の孔部１７には、円盤状の磁石１８が略ピッタリと嵌め込まれていること、そして前記磁石１８は、孔部１７と略同一の大きさが或いはやや小さめの大きさで、例えば直径１．５ｍｍ程度であり、厚さは芯材１６と略同一の約１．５ｍｍ程度であるとある旨説明されている（同文献１の段落番号［００１４］［００１８］参照）。
【０００４】
従って、前記磁石１８は、前記の実施形態に関する説明からして、ベルト本体に形成されている孔部１７に、Ｎ極とＳ極とが交互に配列せしめられていること等具体的な説明がなされていない。
【先行技術文献】
【特許文献】
【０００５】
【特許文献１】特開２００１−１１５３２２公報
【考案の概要】
【考案が解決しようとする課題】
【０００６】
しかるに本考案は、前記した特許文献１に記載の発明の磁気ベルトが、ベルト本体を構成する芯材に所定の間隔おきに形成せしめられた複数の孔部に、ただ単に複数の磁石１８を嵌め込むだけの構成からなるものに対し、本考案は永久磁石本体であるハイブリッド磁石もしくはトルマリン磁石を構成上の主たる構成部材として採用し、さらに複数の前記永久磁石本体（ハイブリッド磁石もしくはトルマリン磁石）を前記ベルト本体の裏面部にＮ極とＳ極を交互に配列せしめて、磁石表面から磁力線を広範囲にして且大量に放出せしめるように創意工夫をして、前記本考案の磁気ベルトを身体の腰部に捲廻した際に、前記腰部のコリ解しと、血行を著しく促進せしめると云う効果を発揮せしめることができるようにした。
【０００７】
さらに、前記従来の磁気ベルトが、磁石を芯材の孔部内に嵌め込み、表材と裏材とを挾着せしめると云う構成なので、ベルト本体に接着の磁石を透視することができない構造であったのに対し、本考案は、磁気ベルトを構成するベルト本体の裏面部に磁石本体を装着せしめるためのテーピング部材を透明資材製とすることによって磁気ベルトの着用時に、使用者に目視せしめて安心感を与え安心して腰部に捲廻せしめ着用することができる利点がある。
【課題を解決するための手段】
【０００８】
上記課題を解決するための手段として、請求項１に記載の考案は、身体の腰部３に捲廻する磁気ベルトＡを構成するベルト本体１の捲廻時に身体の腰部３が当る裏面部２もしくは前記ベルト本体１の芯材ｃに、複数の永久磁石本体ａを所定の間隔おきにＮ極とＳ極を交互に配列せしめると共に、前記永久磁石本体ａが容易に離脱しないように装着せしめられていることを特徴とする磁気ベルトである。
【０００９】
請求項２に記載の考案は、前記永久磁石本体ａが、ハイブリッド磁石もしくはトルマリン磁石であることを特徴とする、請求項１に記載の磁気ベルトである。
【００１０】
請求項３に記載の考案は、前記永久磁石本体ａが、前記ベルト本体１の裏面部２もしくは芯材ｃに、約１．９ｃｍ間隔おきにＮ極とＳ極を交互に８個装着せしめられていることを特徴とする、請求項１又は２に記載の磁気ベルトである。
【００１１】
請求項４に記載の考案は、前記永久磁石本体ａが、前記ベルト本体１の裏面部２に所定の間隔おきに形成せしめられた凹部２ａに、Ｎ極とＳ極を交互に配列嵌挿せしめ、嵌挿後前記磁石本体ａが飛出しないようにテーピング部材ｂを前記ベルト本体１の裏面部２に被着せしめられていることを特徴とする、請求項１又は２又は３に記載の磁気ベルトである。
【００１２】
請求項５に記載の考案は、前記永久磁石本体ａが、別設するテーピング部材ｂの裏面部４に所定間隔おきにして且Ｎ極とＳ極を交互に配列し接着剤にて接着せしめた後、前記テーピング部材ｂの裏面部４を前記ベルト本体１の裏面部２に接着せしめることを特徴とする、請求項１又は２又は３又は４に記載の磁気ベルトである。
【００１３】
請求項６に記載の考案は、前記テーピング部材ｂが布製もしくは革製もしくは合成樹脂製の透明資材製であることを特徴とする、請求項１又は２又は３又は４又は５に記載の磁気ベルトである。
【考案の効果】
【００１４】
本考案の効果について説明すると以下のとおりである。
【００１５】
本考案の請求項１に記載の考案は、身体の腰部３に捲廻する磁気ベルトＡを構成するベルト本体１の捲廻時に身体の腰部３が当る裏面部２もしくは前記ベルト本体１の芯材ｃに、複数の永久磁石本体ａを所定の間隔おきにＮ極とＳ極を交互に配列せしめると共に、前記永久磁石本体ａが容易に離脱しないように装着せしめられていることを特徴とする磁気ベルトなので、従来の磁気ベルトに装着せしめられている磁石に比し、Ｎ極とＳ極を交互に配列せしめて磁束密度を著しく高め且広範囲に磁力線を放出せしめることができるようにしたので、着用者の身体の腰部のコリ解し及び腰部の血行を著増せしめ、腰痛の改善と腰部のコリ解しを施すことができるようにした。
【００１６】
本考案の請求項２に記載の考案は、前記永久磁石本体ａが、ハイブリッド磁石もしくはトルマリン磁石であることを特徴とする、請求項１に記載の磁気ベルトなので、前記請求項１に記載の考案の効果と同じ効果を発揮せしめることができる利点を有している。
【００１７】
本考案の請求項３に記載の考案は、前記永久磁石本体ａが、前記ベルト本体１の裏面部２もしくは芯材ｃに、約１．９ｃｍ間隔おきにＮ極とＳ極を交互に８個装着せしめられていることを特徴とする、請求項１又は２に記載の磁気ベルトなので、前記した請求項１又は２に記載の考案の効果と同じ効果を有している。
【００１８】
本考案の請求項４に記載の考案は、前記永久磁石本体ａが、前記ベルト本体１の裏面部２に所定の間隔おきに形成せしめられた凹部２ａに、Ｎ極とＳ極を交互に配列嵌挿せしめ、嵌挿後前記磁石本体ａが飛出しないようにテーピング部材ｂを前記ベルト本体１の裏面部２に被着せしめられていることを特徴とする、請求項１又は２又は３に記載の磁気ベルトなので、前記した請求項１又は２又は３に記載の考案の効果と同じ効果を有している。
【００１９】
本考案の請求項５に記載の考案は、前記永久磁石本体ａが、別設するテーピング部材ｂの裏面部４に所定間隔おきにして且Ｎ極とＳ極を交互に配列し接着剤にて接着せしめた後、前記テーピング部材ｂの裏面部４を前記ベルト本体１の裏面部２に接着せしめることを特徴とする、請求項１又は２又は３又は４に記載の磁気ベルトなので、前記した請求項１又は２又は３又は４に記載の考案の効果と同じ効果を有している。
【００２０】
本考案の請求項６に記載の考案は、前記テーピング部材ｂが布製もしくは革製もしくは合成樹脂製の透明資材製であることを特徴とする、請求項１又は２又は３又は４又は５に記載の磁気ベルトなので、前記した請求項１又は２又は３又は４又は５に記載の考案の効果と同じ効果を有している。
【００２１】
さらに、本考案の磁気ベルトを着用すると、着用者が当該磁気ベルトに、永久磁石が装着されていることを目視できるので、安心して着用できる効果がある。
【図面の簡単な説明】
【００２２】
【図１】本考案の磁気ベルトの一部切欠正面図である。
【００２３】
【図２】同磁気ベルトの一部切欠の背面図である。
【００２４】
【図３】同磁気ベルトの第２実施例を示す一部切欠背面図である。
【００２５】
【図４】同磁気ベルトの一部切欠背面図である。
【００２６】
【図５】同磁気ベルトの一部切欠背面図である。
【００２７】
【図６】同磁気ベルトの裏面部に装着せしめる永久磁石の配列状態を示す斜視図である。
【００２８】
【図７】同磁気ベルトに装着す永久磁石２個の配列状態を示す斜視図である。
【００２９】
【図８】同磁気ベルトに使用するハイブリッド磁石の磁石表面から放出される磁力線のイメージ図である。
【００３０】
【図９】同磁気ベルトを着用した着用者の一部切欠背面図である。
【００３１】
【図１０】図９の着用者の一部切欠正面図である。
【考案を実施するための最良の形態】
【００３２】
本考案を実施するための実施の形態は共通しているので、以下のとおり一括して説明する。
【００３３】
図において、符号Ａは本考案の磁気ベルトであって以下の構成からなっている。
【００３４】
図中、符号ａは永久磁石本体を示しており、本考案においては、磁力範囲が広範囲にわたり、且高い磁束密度を有するハイブリッド磁石もしくはトルマリン磁石を使用することを考案の骨子としている。
【００３５】
さらに本考案の特長として、前記永久磁石本体ａであるハイブリッド磁石もしくはトルマリン磁石が、前記ベルト本体１の中、身体の腰部３に捲廻した腰部３が当る裏面部２もしくは前記ベルト本体１の芯材ｃに、前記磁石本体ａを所定の間隔として、例えば１．９ｃｍ間隔おきに、前記磁石本体ａのＮ極とＳ極を交互に、例えば８個（限定しない）を交互に配列せしめる。
【００３６】
そして前記のように複数の前記永久磁石本体ａをＮ極とＳ極を交互にして、配列せしめた後、前記複数の永久磁石本体ａが離脱しないように前記ベルト本体１の裏面部２に装着手段を介して装着せしめる。
【００３７】
前記の装着手段について説明する。
【００３８】
第１実施例の装着手段としては、ハイブリッド磁石もしくはトルマリン磁石の永久磁石本体ａを、前記ベルト本体１の裏面部２に直接装着せしめ、布製もしくは合成樹脂製もしくは革製等のテーピング部材ｂにて容易に離脱しないように接着材を付着して接着する。
【００３９】
第２実施例の装着手段として、テーピング部材ｂの裏面部４に、ハイブリッド磁石もしくはトルマリン磁石の前記永久磁石本体ａを所定の間隔、例えば１．９ｃｍ毎にして、且Ｎ極とＳ極を交互にして８個（限定しない）配列し接着せしめる。
【００４０】
しかる後、前記テーピング部材ｂを前記ベルト本体１の裏面部２に前記永久磁石本体ａが離脱しないように接着せしめ形成する。
【００４１】
第３実施例の装着手段として、前記ベルト本体１を構成する芯材ｃに、所定間隔、例えば１．９ｃｍ（限定しない）おきに８個（限定しない）嵌挿孔５を形成し、これら嵌挿孔５に８個の前記ハイブリッド磁石もしくはトルマリン磁石の永久磁石本体ａを、Ｎ極とＳ極とを交互に配列せしめ、前記配列せしめた永久磁石本体ａが離脱しないように配列後、裏材を接着せしめ装着する。
【００４２】
さらに本考案の前記テーピング部材ｂは、透明資材製のものを使用せしめてもよい。
【００４３】
前記のように、透明資材製のテーピング部材ｂにすると、磁気ベルトの使用者がベルトを着用する際に、前記永久磁石本体ａが確実に装着していることを直視することができる。そのため安心感が得られるメリットがある。
【００４４】
さらに本考案の磁気ベルトＡは、ベルト本体１の表面がスプリットレザーであり、裏面は合革が使用されている。
【００４５】
本考案の磁気ベルトＡは、男性用・女性用からなっている。
【００４６】
例えば、磁気ベルトＡは、カラーはブラック、ブラウン、ホワイトから形成されている。
【００４７】
本考案の磁気ベルトに使用されている永久磁石本体ａは、磁力１３０ｍｔ（ミリテスラ）を使用する。
【００４８】
さらに、本考案の磁気ベルトＡ中、婦人用磁気バンドの製造工程について説明する。
【００４９】
第１に、表面スプリットレザー（床革）、裏面合皮の染色を施し、表革を型押し成形をする。
【００５０】
第２に、表面スプリットレザー（床革）、裏面合皮の裁断をする。
【００５１】
第３に、革芯の裁断を施し、永久磁石本体ａの埋め込み用の孔開けを施し、合成と芯の張り合せを施してやる。
【００５２】
第４に、前記革芯に永久磁石本体ａの埋め込み処理をする。
【００５３】
第５に、糊付けをして張り合せをする。
【００５４】
第６に、裁断をしてロールを施し、縫製をしてコバ磨き色付けする。
【００５５】
第７に、バックルと帯の取付け作業をする。
【００５６】
第８に、検査し、梱包処理を施してやる。
【００５７】
＜本考案の磁気ベルトＡの使用方法＞
本考案の磁気ベルトＡは、普段の洋服、スーツ時など、どのようなシーズンでも使用できる。
【００５８】
以上、実施形態を図面に基づいて説明したが、本考案は、図示例の限りではなく、その技術的思想を逸脱しない範囲において、当業者が通常に行う設計変更、応用のバリエーションの範囲を含むことを念のために言及する。
【符号の説明】
【００５９】
Ａ      磁気ベルト
ａ      永久磁石本体
ｂ      テーピング部材
ｃ      芯材
１      ベルト本体
２      裏面部
２ａ    芯部
２ｂ    凹部
３      腰部
４      裏面部
５      嵌挿孔
【図１】
0003221353.tif 000003
【図２】
0003221353.tif 000004
【図３】
0003221353.tif 000005
【図４】
0003221353.tif 000006
【図５】
0003221353.tif 000007
【図６】
0003221353.tif 000008
【図７】
0003221353.tif 000009
【図８】
0003221353.tif 000010
【図９】
0003221353.tif 000011
【図１０】
0003221353.tif 000012
【手続補正書】
【提出日】平成31年3月14日(2019.3.14)
【手続補正１】
【補正対象書類名】実用新案登録請求の範囲
【補正対象項目名】全文
【補正方法】変更
【補正の内容】
【実用新案登録請求の範囲】
【請求項１】
身体の腰部に捲廻する磁気ベルトを構成するベルト本体の捲廻時に、身体の腰部が当る裏面部もしくは前記ベルト本体の芯材に、複数の永久磁石本体を所定の間隔おきにＮ極とＳ極を交互に配列せしめると共に、前記永久磁石本体が容易に離脱しないように装着せしめられていることを特徴とする磁気ベルト。
【請求項２】
前記永久磁石本体が、ハイブリッド磁石もしくはトルマリン磁石であることを特徴とする、請求項１に記載の磁気ベルト。
【請求項３】
前記永久磁石本体が、前記ベルト本体の裏面部もしくは芯材に、約１．９ｃｍ間隔おきにＮ極とＳ極を交互に８個装着せしめられていることを特徴とする、請求項１又は２に記載の磁気ベルト。
【請求項４】
前記永久磁石本体が、前記ベルト本体の裏面部に所定の間隔おきに形成せしめられた凹部に、Ｎ極とＳ極を交互に配列嵌挿せしめ、嵌挿後前記磁石本体が飛出しないようにテーピング部材を前記ベルト本体の裏面部に被着せしめられていることを特徴とする、請求項１又は２又は３に記載の磁気ベルト。
【請求項５】
前記永久磁石本体が、別設するテーピング部材の裏面部に所定間隔おきにして且Ｎ極とＳ極を交互に配列し接着剤にて接着せしめた後、前記テーピング部材の裏面部を前記ベルト本体の裏面部に接着せしめることを特徴とする、請求項１又は２又は３又は４に記載の磁気ベルト。
【請求項６】
前記テーピング部材が布製もしくは革製もしくは合成樹脂製の透明資材製であることを特徴とする、請求項４又は５に記載の磁気ベルト。
【手続補正２】
【補正対象書類名】明細書
【補正対象項目名】００１３
【補正方法】変更
【補正の内容】
【００１３】
請求項６に記載の考案は、前記テーピング部材ｂが布製もしくは革製もしくは合成樹脂製の透明資材製であることを特徴とする、請求項４又は５に記載の磁気ベルトである。
【手続補正３】
【補正対象書類名】明細書
【補正対象項目名】００２０
【補正方法】変更
【補正の内容】
【００２０】
本考案の請求項６に記載の考案は、前記テーピング部材ｂが布製もしくは革製もしくは合成樹脂製の透明資材製であることを特徴とする、請求項４又は５に記載の磁気ベルトなので、前記した請求項１又は２又は３又は４又は５に記載の考案の効果と同じ効果を有している。